(57)【要約】【課題】  施工性及び安定性・安全性に優れた雪止金具用アングルストッパーを提供することにある。【解決手段】  雪止金具用アングルストッパー３０は、金具本体２０にボルト５０及びナット５１で締結するためのボルト孔３１と、Ｌ字アングル８０を金具本体２０に取り付けるために金具本体２０に形成された凹状の取付溝２１の開口部を、ボルト孔３１（及びボルト孔４３）に取り付けたボルト５０及びナット５１の仮留めによって斜め上方向を開放した開放状態に維持するとともに、同ボルト５０及びナット５１の本締めによって閉塞した閉塞状態になるように変形するストッパー部材３２と、を備えたことを特徴とする。【選択図】  図４
2017101476.tif 000002
【特許請求の範囲】
【請求項１】
屋根に積もった雪を地上に落下させないために屋根に横架して設けられるＬ字アングルとこのＬ字アングルを屋根に設置するための金具本体とからなる雪止金具のＬ字アングルを金具本体に固定するためのアングルストッパーであって、
当該雪止金具用アングルストッパーは、金具本体にボルト及びナットで締結するためのボルト孔と、Ｌ字アングルを金具本体に取り付けるために金具本体に形成された凹状の取付溝の開口部を、ボルト孔に取り付けたボルト及びナットの仮留めによって斜め上方向を開放した開放状態にするとともに、ボルト孔に取り付けたボルト及びナットの本締めによって閉塞した閉塞状態になるように変形するストッパー部材と、を備えたことを特徴とする雪止金具用アングルストッパー。
【請求項２】
ストッパー部材は、変形しないストッパー本体と、ボルト孔に取り付けたボルト及びナットの仮留めによって開口部の斜め上方向を開放した開放状態にストッパー本体を維持するとともに、ボルト孔に取り付けたボルト及びナットの本締めによって変形して開口部を閉塞した閉塞状態にストッパー本体を可動させる仮留め部材と、からなることを特徴とする請求項１記載の雪止金具用アングルストッパー。
【請求項３】
ストッパー部材は、変形しないストッパー本体部と、ボルト孔に取り付けたボルト及びナットの仮留めによって開口部の斜め上方向を開放した開放状態にストッパー本体部を維持するとともに、ボルト孔に取り付けたボルト及びナットの本締めによって変形して開口部を閉塞した閉塞状態にストッパー本体部を可動させるストッパー変形部と、を備えたことを特徴とする請求項１記載の雪止金具用アングルストッパー。
【請求項４】
ストッパー部材は、金具本体と係合することでボルト及びナットの本締めによる共回りを防止する共回り防止手段を備えたことを特徴とする請求項１から３のいずれかに記載の雪止金具用アングルストッパー。
【請求項５】
請求項１から４のいずれかに記載の雪止金具用アングルストッパーを備えたことを特徴とする雪止金具用金具本体。
【請求項６】
請求項５記載の雪止金具用金具本体の取付溝にあってＬ字アングルの内側と接する差込口を湾曲形状に形成したことを特徴とする雪止金具用金具本体。
【請求項７】
請求項５又は６記載の雪止金具用金具本体にあって取り付けるＬ字アングルの長手方向と直交する側端縁を縁折りした補強リブを備えたことを特徴とする雪止金具用金具本体。
【請求項８】
請求項５から７のいずれかに記載の雪止金具用金具本体を備えたことを特徴とする雪止金具。
【発明の詳細な説明】
【技術分野】
【０００１】
本願発明は、屋根に積もった雪を地上に落下させないために屋根に使用される雪止金具に関するものである。
【背景技術】
【０００２】
上記した雪止金具に関しては、下記の特許文献１〜特許文献５に示すものなどが挙げられる。
【０００３】
まず、特許文献１〜特許文献４に示すものは、屋根に横架して設けられるＬ字アングルを金具本体に取り付けるための雪止金具用アングルストッパー（特許文献１では符号１１（係止押さえ片）、特許文献２では符号１１、特許文献３では符号１０（係止部）、特許文献４では符号Ｆ（抜け止め部材）のこと）として、金具本体にボルト及びナットにより締結されて、このボルトを支軸として水平方向に回動させることによって、Ｌ字アングルを固定している。そして、このような雪止金具用アングルストッパーが、現在では実用化されて最も広く普及している。
【０００４】
また、一方で、特許文献５に示すもののように、雪止金具用アングルストッパーを金具本体にボルト及びナット等で締結させることなく、金具本体に形成されたＬ字アングルの取付溝（特許文献５では嵌入溝３）に略Ｖ字状の差込体を差し込むことでＬ字アングルを固定しているものもある。
【先行技術文献】
【特許文献】
【０００５】
【特許文献１】特開平０８−３１２０８２号公報
【特許文献２】特開平１１−１３１７２８号公報
【特許文献３】特開２００２−１８８２５７号公報
【特許文献４】特開２０１２−１２７１４８号公報
【特許文献５】特開２００９−０３５８９０号公報
【発明の概要】
【発明が解決しようとする課題】
【０００６】
しかしながら、特許文献１〜特許文献４に示す従来の雪止金具用アングルストッパーは、Ｌ字アングルを固定するために、１）締結するボルト又はナットを緩め、２）ストッパーの向きを変えて（約９０度回転させる）、３）Ｌ字アングルを挿入し、４）ストッパーの向きを戻し（約９０度回転させる）、５）締結するボルト又はナットを締める、以上の５工程を要していた。このため、施工に時間がかかるとともに、５工程目のボルト又はナット締めの際に、ストッパーが共回りしてストッパーの位置ずれを生じる場合もあった。
【０００７】
また、特許文献５に示すような金具本体と雪止金具用アングルストッパー（差込体）とが分離しているセパレートタイプのものは、確かに施工性に優れているかもしれないが、雪止金具用アングルストッパー（差込体）が金具本体から外れる危険性は高く、安定性・安全性に欠けるという課題が残る。
【０００８】
これに対して、本願発明者は、上記した従来の雪止金具用アングルストッパーや新たに開発された雪止金具用アングルストッパーの課題を解決し、施工性及び安定性・安全性に優れた雪止金具用アングルストッパーを提供すべく鋭意試験・研究を行い、本願発明を完成するに至った。
【課題を解決するための手段】
【０００９】
上記目的を達成するために、本願発明の第１の発明は、屋根に積もった雪を地上に落下させないために屋根に横架して設けられるＬ字アングルとこのＬ字アングルを屋根に設置するための金具本体とからなる雪止金具のＬ字アングルを金具本体に固定するためのアングルストッパーであって、当該雪止金具用アングルストッパーは、金具本体にボルト及びナットで締結するためのボルト孔と、Ｌ字アングルを金具本体に取り付けるために金具本体に形成された凹状の取付溝の開口部を、ボルト孔に取り付けたボルト及びナットの仮留めによって斜め上方向を開放した開放状態にするとともに、ボルト孔に取り付けたボルト及びナットの本締めによって閉塞した閉塞状態になるように変形するストッパー部材と、を備えたことを特徴とするものである。
第２の発明は、ストッパー部材が、変形しないストッパー本体と、ボルト孔に取り付けたボルト及びナットの仮留めによって開口部の斜め上方向を開放した開放状態にストッパー本体を維持するとともに、ボルト孔に取り付けたボルト及びナットの本締めによって変形して開口部を閉塞した閉塞状態にストッパー本体を可動させる仮留め部材と、からなることを特徴とする同雪止金具用アングルストッパーである。
第３の発明は、ストッパー部材が、変形しないストッパー本体部と、ボルト孔に取り付けたボルト及びナットの仮留めによって開口部の斜め上方向を開放した開放状態にストッパー本体部を維持するとともに、ボルト孔に取り付けたボルト及びナットの本締めによって変形して開口部を閉塞した閉塞状態にストッパー本体部を可動させるストッパー変形部と、を備えたことを特徴とする同雪止金具用アングルストッパーである。
第４の発明は、ストッパー部材が、金具本体と係合することでボルト及びナットの本締めによる共回りを防止する共回り防止手段を備えたことを特徴とする同雪止金具用アングルストッパーである。
第５の発明は、上記する第１から第４の発明に係る雪止金具用アングルストッパーを備えたことを特徴とする雪止金具用金具本体である。
第６の発明は、上記する第５の発明に係る雪止金具用金具本体の取付溝にあってＬ字アングルの内側と接する差込口を湾曲形状に形成したことを特徴とする雪止金具用金具本体である。
第７の発明は、上記する第５又は第６の発明に係る雪止金具用金具本体にあって取り付けるＬ字アングルの長手方向と直交する側端縁を縁折りした補強リブを備えたことを特徴とする雪止金具用金具本体である。
第８の発明は、上記する第５から第７の発明に係る雪止金具用金具本体を備えたことを特徴とする雪止金具である。
【発明の効果】
【００１０】
上記した本願発明によれば、以下のような効果を有する。
（１）本願発明は、金具本体にボルト及びナットで締結するためのボルト孔と、Ｌ字アングルを金具本体に取り付けるために金具本体に形成された凹状の取付溝の開口部に対して、ボルトを締結する前は開口部の斜め上方向を開放した状態、ボルトを締結した後は開口部を閉塞した状態になるストッパー部材と、を備えた雪止金具用アングルストッパーであるため、Ｌ字アングルを固定するために、１）Ｌ字アングルを挿入し、２）締結するボルト又はナットを締める、以上の２工程を要するのみである。このため、施工時間を著しく短縮できて、施工性が向上する。
（２）本願発明は、金具本体にボルト及びナットで締結される雪止金具用アングルストッパーであるため、雪止金具用アングルストッパーが金具本体から外れる危険性はほとんどなく、安定性・安全性に優れたものとなっている。
（３）本願発明は、ストッパー部材が、金具本体と係合することでボルト及びナットの締結による共回りを防止する共回り防止手段を備えている。このため、ボルト又はナット締めの際に、アングルストッパーが共回りしてアングルストッパーの位置ずれを生じさせてしまうことを未然に防止できる。
（４）本願発明は、雪止金具用金具本体の取付溝にあってＬ字アングルの内側と接する差込口を湾曲形状に形成したことで、Ｌ字アングルをスムーズに金具本体の取付溝へ挿入しやすくなる。
（５）本願発明は、雪止金具用金具本体にあって取り付けるＬ字アングルの長手方向と直交する側端縁を縁折りした補強リブを備えたことで、金具本体の強度を向上させることができる。なお、この補強リブは、雪止金具に限らず、屋根に取り付けるその他（例えば、ソーラーパネルなど）の取付金具やその他、建築物・構築物用金具（吊り金具、壁取付金具等）にも適用できるものである。
【図面の簡単な説明】
【００１１】
【図１】雪止金具の使用状態を示す説明図。
【図２】雪止金具用アングルストッパーの第１実施形態を示す説明図（１）。
【図３】雪止金具用アングルストッパーの第１実施形態を示す説明図（２）。
【図４】雪止金具用アングルストッパーの第１実施形態を示す説明図（３）。
【図５】雪止金具用アングルストッパーの第１実施形態を示す説明図（４）。
【図６】雪止金具用アングルストッパーの第２実施形態を示す説明図。
【図７】雪止金具用アングルストッパーの第３実施形態を示す説明図。
【図８】雪止金具用アングルストッパーの第４実施形態を示す説明図。
【図９】雪止金具用アングルストッパーの第５実施形態を示す説明図。
【図１０】補強リブを説明する説明図（１）。
【図１１】補強リブを説明する説明図（２）。
【発明を実施するための形態】
【００１２】
本願発明の実施形態を図面に基づいて説明する。
図１は、雪止金具の使用状態を示す説明図である。
雪止金具１０は、屋根９０に積もった雪を地上に落下させないために屋根９０に横架して設けられるＬ字アングル８０とこのＬ字アングル８０を屋根９０に設置するための金具本体２０とからなる。
【００１３】
図２〜図５は、雪止金具用アングルストッパーの第１実施形態を示す説明図である。
図２（組立図）及び図３（分解図）に図示するように、雪止金具用アングルストッパー３０は、金具本体２０にボルト５０及びナット５１で締結するためのボルト孔３１と、Ｌ字アングル８０を金具本体２０に取り付けるために金具本体２０に形成された凹状の取付溝２１の開口部を、ボルト孔３１（及びボルト孔４３）に取り付けたボルト５０及びナット５１の仮留めによって開口部の斜め上方向を開放した開放状態にするとともに、同ボルト５０及びナット５１の本締めによって開口部を閉塞した閉塞状態になるように変形するストッパー部材３２と、を備えたことを特徴とする。
【００１４】
ここで、ストッパー部材３２について詳しく説明すると、図３に図示するように、ストッパー部材３２は、変形しないストッパー本体３３と、ボルト孔３１（及びボルト孔４３）に取り付けたボルト５０及びナット５１の仮留めによって開口部の斜め上方向を開放した開放状態にストッパー本体３３を維持するとともに、同ボルト５０及びナット５１の本締めによって変形して開口部を閉塞した閉塞状態にストッパー本体３３を可動させる仮留め部材４０と、の２部品からなるものである。
【００１５】
そして、仮留め部材４０は、まずボルト５０及びナット５１を本締めする前の仮留めにあっては、開口部の斜め上方向を開放した開放状態（所定の角度を有した状態）にストッパー本体３３を維持するために、ストッパー本体３３の後端両側部３４，３４を保持する押さえ片４１，４１を備える。次に、ボルト５０及びナット５１を本締めした後にあっては、開口部を閉塞した閉塞状態にストッパー本体３３を可動させるために押さえ片４１，４１を備える部分が折曲する。また、ストッパー本体３３の可動域（可動方向）を制御するために、ストッパー本体３３の両側に起立部４２，４２を備える。なお、ストッパー本体３３自体を折曲することはないので、ストッパー本体３３に施されためっきが剥がれることを防止できる。
【００１６】
図４（使用図）に図示するように、雪止金具用アングルストッパー３０を使用すれば、、Ｌ字アングル８０を固定するために、１）斜め上方向の開放された開口部からＬ字アングル８０を挿入し（ａ）、２）ボルト５０及びナット５１を本締めする（ｂ→ｃ）、以上の２工程で完了する。このため、施工時間を著しく短縮できて、施工性が向上する。
なお、金具本体２０の取付溝２１にあってＬ字アングル８０の内側８１と接する差込口２２を湾曲形状に形成したことで、Ｌ字アングル８０をスムーズに金具本体２０の取付溝２１へ挿入できるようになる。
【００１７】
また、金具本体２０にあって取り付けるＬ字アングル８０の長手方向と直交する側端縁を縁折りした補強リブ２５を備えることで、金具本体２０の強度を向上させることができる。なお、この補強リブ２５は、雪止金具に限らず、屋根に取り付けるその他（例えば、ソーラーパネルなど）の取付金具やその他、建築物・構築物用金具（吊り金具、壁取付金具等）などにも適用できるものである。
【００１８】
図５（ａ）は仮留め部材４０を、図５（ｂ）は金具本体２０を、それぞれ図示したものである。仮留め部材４０には、ボルト孔４３とともに、係止突起４４を有している。また、金具本体２０にも、ボルト孔２３とともに、仮留め部材４０の係止突起４４が係止する係止孔２４を有している。この係止突起４４と係止孔２４からなる共回り防止手段を備えることで、ボルト５０及びナット５１の本締めによるストッパー部材３２（ストッパー本体３３）の共回りを確実に防止できる。
なお、仮留め部材４０の符号４５は、水抜き孔である。
【００１９】
図６は、雪止金具用アングルストッパーの第２実施形態を示す説明図である。
第２実施形態が第１実施形態と異なるのは、仮留め部材である。図６に図示する仮留め部材４０Ｂは、短手方向端部に押さえ片４１Ｂを備えて、ストッパー本体３３Ｂの後端部３５Ｂを保持することとしたものである。仮留め部材４０Ｂにこの押さえ片４１Ｂを備えることで、ボルト孔３１Ｂ（及びボルト孔４３Ｂ）に取り付けたボルト５０及びナット５１の仮留めによって、開口部の斜め上方向を開放した開放状態（所定の角度を有した状態）にストッパー本体３３Ｂを維持することができるようになる。その他については、第１実施形態と同様であるので、その説明を省略する。
【００２０】
図７は、雪止金具用アングルストッパーの第３実施形態を示す説明図である。
第３実施形態が第１実施形態と異なるのは、仮留め部材である。図７に図示する仮留め部材４０Ｃは、短手方向端部に差込穴４１Ｃを形成して、ストッパー本体３３Ｃの後端部３５Ｃを保持することとしたものである。仮留め部材４０Ｃにこの差込穴４１Ｃを備えることで、ボルト孔３１Ｃ（及びボルト孔４３Ｃ）に取り付けたボルト５０及びナット５１の仮留めによって、開口部の斜め上方向を開放した開放状態（所定の角度を有した状態）にストッパー本体３３Ｃを維持することができるようになる。その他については、第１実施形態と同様であるので、その説明を省略する。
【００２１】
図８は、雪止金具用アングルストッパーの第４実施形態を示す説明図である。
第４実施形態が第１実施形態乃至第３実施形態と異なるのは、ストッパー部材である。図８に図示するストッパー部材３２Ｄは、変形しないストッパー本体部３６Ｄと、ボルト孔３１Ｄに取り付けたボルト５０及びナット５１の仮留めによって開口部の斜め上方向を開放した開放状態にストッパー本体部３６Ｄを維持し、同ボルト５０及びナット５１の本締めによって変形して開口部を閉塞した閉塞状態にストッパー本体部３６Ｄを可動させるストッパー変形部３７Ｄと、を備えることで、１物品でストッパー部材を構成するものである。その他については、第１実施形態と同様であるので、その説明を省略する。
【００２２】
図９は、雪止金具用アングルストッパーの第５実施形態を示す説明図である。
第５実施形態は第４実施形態と同様に１物品でストッパー部材を構成するものである。  図９に図示するストッパー部材３２Ｅは、後端部３８Ｅの一部３９Ｅを金具本体２０Ｅに形成した差込孔２５Ｅへ差し込み、ボルト孔３１Ｅに取り付けたボルト５０及びナット５１の仮留めによって、開口部の斜め上方向を開放した開放状態にストッパー部材３２Ｅを維持し、同ボルト５０及びナット５１の本締めによって変形して開口部を閉塞した閉塞状態にストッパー本体部３６Ｅを可動させるストッパー変形部３７Ｅと、を備えることで、１物品でストッパー部材を構成するものである。その他については、第１実施形態と同様であるので、その説明を省略する。
【００２３】
図１０及び図１１は、補強リブについて説明をした説明図である。
上記したように、雪止金具用金具本体２０に設けられた補強リブ２５は、金具本体２０にあって取り付けるＬ字アングル８０の長手方向と直交する側端縁を縁折りし、金具本体２０の強度を向上させたものである。しかし、この補強リブ２５は、雪止金具に限らず、屋根に取り付けるその他（例えば、ソーラーパネルなど）の取付金具やその他、建築物・構築物用金具（吊り金具、壁取付金具等）などにも適用できるものである。
【００２４】
そして、この補強リブの特徴は、単純な縁折りによる補強ではない。すなわち、一般に縁折りによる補強リブは、図１１に図示するように、補強リブとなるリブ片７１を本体部７０に設けて、このリブ片７１を折曲することにより補強リブを形成している（例えば、上記特許文献３を参照）。
しかし、本願発明の補強リブは、図１０に図示するように、矩形状の本体部６０をそのままに側端縁となる側端部６１を内側へ湾曲状に折曲することにより補強リブ６２を形成している。
これにより、図１１のように本体部７０に凸状のリブ片７１を設けることなく、図１０の本体部６０そのままで補強リブ６２を形成できるので、材料の増加無しに補強が可能となる（図１１でいえば、板寸法がＹではなく、Ｘで十分）。
【産業上の利用可能性】
【００２５】
本願発明は、屋根に積もった雪を地上に落下させないために屋根に使用される雪止金具に広く利用できるものである。
【符号の説明】
【００２６】
１０  雪止金具
２０  金具本体（雪止金具用金具本体）
２１  取付溝
２２  差込口
２３  ボルト孔
２４  係止孔
２５  補強リブ
３０  アングルストッパー（雪止金具用アングルストッパー）
３１  ボルト孔
３２  ストッパー部材
３３  ストッパー本体
３４  後端両側部
４０  仮留め部材
４１  押さえ片
４２  起立部
４３  ボルト孔
４４  係止突起
４５  水抜き孔
５０  ボルト
５１  ナット
８０  Ｌ字アングル
８１  内側
９０  屋根
【図１】
2017101476.tif 000003
【図２】
2017101476.tif 000004
【図３】
2017101476.tif 000005
【図４】
2017101476.tif 000006
【図５】
2017101476.tif 000007
【図６】
2017101476.tif 000008
【図７】
2017101476.tif 000009
【図８】
2017101476.tif 000010
【図９】
2017101476.tif 000011
【図１０】
2017101476.tif 000012
【図１１】
2017101476.tif 000013